(57)【要約】【課題】  デジタルとアナログとの両方のテレビジョン放送を最適に受信することが可能なテレビジョン受信システムを提供する。 【解決手段】  第１接続端子６１にスマ−トアンテナユニット１０を接続するとともに、第２接続端子６２に八木アンテナ５０を接続し、リモコン４０等からの操作により２つの種類のアンテナの一方を有効とすることが可能なように構成することにより、アナログのテレビジョン放送を受信するときには、八木アンテナ５０を用い、デジタルのテレビジョン放送を受信するときには、スマ−トアンテナユニット１０を用いるというように、テレビジョン放送の種類に応じた最適なアンテナを、ユ−ザ−の意思で選択して用いることが可能となる。 【選択図】図３
2006060676.tif 000002
【特許請求の範囲】
【請求項１】
その指向性を電気信号により静的に選択可能なスマ−トアンテナと、同スマ−トアンテナを使用してテレビジョン放送信号を受信するテレビジョン受信チュ−ナとを具備するテレビジョン受信システムにおいて、
上記スマ−トアンテナと接続するための第１の接続端子、および、八木アンテナまたはＣＡＴＶ放送を受信するためのケ−ブルと接続するための第２の接続端子と、
上記第１の接続端子に接続された上記スマ−トアンテナからの周波信号、および、上記第２の接続端子に接続された上記八木アンテナまたは上記ケ−ブルからの周波信号のいずれか一方を選択的に受信するための切替動作を行う切替手段とを備えるアンテナ切替装置を具備し、
上記テレビジョン受信チュ−ナは、アナログのテレビジョン放送信号を受信するアナログモ−ド、および、デジタルのテレビジョン放送信号を受信するデジタルモ−ドのいすれか一方を所定の選択操作に基づいて選択可能であり、
上記アナログモ−ドが選択されたことを受けて、上記八木アンテナまたは上記ケ−ブルからの周波信号を受信する一方、
上記デジタルモ−ドが選択されたことを受けて、上記スマ−トアンテナからの周波信号を受信するように上記切替手段に上記切替動作を行わせるための命令信号を送信する命令信号送信手段を具備することを特徴とするテレビジョン受信システム。
【請求項２】
その指向性を電気信号により静的に選択可能なスマ−トアンテナと、同スマ−トアンテナを使用してテレビジョン放送信号を受信するテレビジョン受信チュ−ナとを具備するテレビジョン受信システムにおいて、
上記スマ−トアンテナと接続するための第１の接続端子、および、テレビジョン放送信号を送信する外部装置と接続するための第２の接続端子と、
上記第１の接続端子に接続された上記スマ−トアンテナからの周波信号、および、上記第２の接続端子に接続された上記外部装置からの周波信号のいずれか一方を選択的に受信するための切替動作を行う切替手段とを備えるアンテナ切替装置を具備し、
上記テレビジョン受信チュ−ナは、所定の選択操作に基づいて、上記切替手段に上記切替動作を行わせるための命令信号を送信する命令信号送信手段を具備することを特徴とするテレビジョン受信システム。
【請求項３】
上記第２の接続端子は、八木アンテナと接続する接続端子であることを特徴とする請求項２に記載のテレビジョン受信システム。
【請求項４】
上記第２の接続端子は、ＣＡＴＶ放送を受信するためのケ−ブルを接続する接続端子であることを特徴とする請求項２に記載のテレビジョン受信システム。
【請求項５】
上記テレビジョン受信チュ−ナは、アナログのテレビジョン放送信号を受信するアナログモ−ド、および、デジタルのテレビジョン放送信号を受信するデジタルモ−ドのいずれか一方を所定の選択操作に基づいて選択可能であり、
上記命令信号送信手段は、上記アナログモ−ドが選択されたことを受けて、上記八木アンテナからの周波信号を受信するように上記切替手段に切替動作を行わせる一方、
上記デジタルモ−ドが選択されたことを受けて、上記スマ−トアンテナからの周波信号を受信するように上記切替手段に切替動作を行わせることを特徴とする請求項３に記載のテレビジョン受信システム。
【請求項６】
その指向性を電気信号により静的に選択可能なスマ−トアンテナと接続するための第１の接続端子、および、テレビジョン放送信号を送信する外部装置と接続するため第２の接続端子と、
上記第１の接続端子に接続された上記スマ−トアンテナからの周波信号、および、上記第２の接続端子に接続された上記外部装置からの周波信号のいずれか一方を選択的に受信するための切替動作を行う切替手段とを具備することを特徴とするアンテナ切替装置。
【請求項７】
その指向性を電気信号により静的に選択可能なスマ−トアンテナを使用してテレビジョン放送信号を受信するテレビジョン受信チュ−ナにおいて、
上記スマ−トアンテナと接続するための第１の接続端子、および、テレビジョン放送信号を送信する外部装置と接続するための第２の接続端子と、上記第１の接続端子に接続された上記スマ−トアンテナからの周波信号、および、上記第２の接続端子に接続された上記外部装置からの周波信号のいずれか一方を選択的に受信するための切替動作を行う切替手段とを備えるアンテナ切替装置と接続され、
所定の選択操作に基づいて、上記切替手段に上記切替動作を行わせるための命令信号を送信する命令信号送信手段を具備することを特徴とするテレビジョン受信チュ−ナ。
【請求項８】
その指向性を電気信号により静的に選択可能なスマ−トアンテナを使用してテレビジョン放送信号を受信するチュ−ナ機能を具備するテレビジョンにおいて、
上記スマ−トアンテナと接続するための第１の接続端子、および、テレビジョン放送信号を送信する外部装置と接続するための第２の接続端子と、上記第１の接続端子に接続された上記スマ−トアンテナからの周波信号、および、上記第２の接続端子に接続された上記外部装置からの周波信号のいずれか一方を選択的に受信するための切替動作を行う切替手段とを備えるアンテナ切替装置と接続され、
所定の選択操作に基づいて、上記切替手段に上記切替動作を行わせるための命令信号を送信する命令信号送信手段を具備することを特徴とするテレビジョン。
【発明の詳細な説明】
【技術分野】
【０００１】
本発明は、スマ−トアンテナを使用してテレビジョン放送信号を受信するテレビジョン受信システム、スマ−トアンテナまたは外部装置からの周波信号を切り替えるアンテナ切替装置、スマ−トアンテナを使用してテレビジョン放送信号を受信するテレビジョン受信チュ−ナ、および、チュ−ナ機能を具備するテレビジョンに関するものである。
【背景技術】
【０００２】
従来、アナログのテレビジョン放送とデジタルのテレビジョン放送との両方を受信することが可能なテレビジョン受信システムが知られている（例えば、特許文献１参照）。
【０００３】
また、従来、その指向性を静的に選択可能なスマ−トアンテナを用いてテレビジョン放送を受信するテレビジョン受信システムが知られている。このようなテレビジョン受信システムでは、デジタルのテレビジョン放送のように、各放送局の送信点が異なる場合であっても、所望の放送局に向けてスマ−トアンテナの指向性を設定することが可能となる。
【特許文献１】特開２００１−３３３３４７号公報
【発明の開示】
【発明が解決しようとする課題】
【０００４】
ところで、現在、わが国のアナログのテレビジョン放送においては、各放送局からのテレビジョン放送電波が同一の送信点から送信されている。そのため、同送信点に向けてアンテナの指向性を固定しておけばよく、スマ−トアンテナを用いて指向性の設定をする必要がないため、通常のアンテナ（例えば、八木アンテナ）を用いた方が都合が良い。また、スマ−トアンテナを新たに導入しようとした場合に、既に設置されている八木アンテナを取り外してスマ−トアンテナを設置するという煩雑な作業が必要になってしまうという問題もある。
【０００５】
本発明は、かかる実情に鑑み、デジタルとアナログとの両方のテレビジョン放送を最適に受信することができ、且つ、アンテナの設置が容易なテレビジョン受信システムを提供しようとするものである。
【課題を解決するための手段】
【０００６】
上記目的を達成するため、請求項２にかかる発明は、その指向性を電気信号により静的に選択可能なスマ−トアンテナと、上記スマ−トアンテナを使用してテレビジョン放送信号を受信するテレビジョン受信チュ−ナとを具備するテレビジョン受信システムにおいて、
上記スマ−トアンテナと接続するための第１の接続端子、および、テレビジョン放送信号を送信する外部装置と接続するための第２の接続端子と、
上記第１の接続端子に接続された上記スマ−トアンテナからの周波信号、および、上記第２の接続端子に接続された上記外部装置からの周波信号のいずれか一方を選択的に受信するための切替動作を行う切替手段とを備えるアンテナ切替装置を具備し、
上記テレビジョン受信チュ−ナは、所定の選択操作に基づいて、上記切替手段に上記切替動作を行わせるための命令信号を送信する命令信号送信手段を具備する構成としてある。
【０００７】
上記のように構成した請求項２において、テレビジョン受信システムは、指向性を電気信号により静的に選択可能なスマ−トアンテナと、上記スマ−トアンテナを使用してテレビジョン放送信号を受信するテレビジョン受信チュ−ナとを具備している。
【０００８】
また、テレビジョン受信システムは、更に、上記スマ−トアンテナと接続するための第１の接続端子、および、外部装置と接続するための第２の接続端子と、上記第１の接続端子に接続された上記スマ−トアンテナからの周波信号、および、上記第２の接続端子に接続された上記外部装置からの周波信号のいずれか一方を選択的に受信するための切替動作を行う切替手段とを備えるアンテナ切替装置を具備している。
【０００９】
さらに、テレビジョン受信システムを構成するテレビジョン受信チュ−ナは、所定の選択操作に基づいて、上記切替手段に上記切替動作を行わせるための命令信号を送信する命令信号送信手段を具備している。このようにすることにより、例えば、第２の接続端子に八木アンテナを接続し、アナログのテレビジョン放送を受信するときは、八木アンテナを用い、デジタルのテレビジョン放送を受信するときは、スマ−トアンテナを用いるというように、テレビジョン放送の種類に応じた最適なアンテナを、ユ−ザ−の意思で選択的に用いることが可能となる。
【００１０】
また、八木アンテナが既に設置されている状態で、新たにスマ−トアンテナを設置しようとする場合であっても、八木アンテナを設置したまま、その入力端子を第２の接続端子に接続し、スマ−トアンテナを新たに設置して、その入力端子を第１の接続端子に接続することにより、アンテナの設置が容易になるとともに、既存の八木アンテナをそのまま利用することが可能となる。
【００１１】
また、請求項３にかかる発明は、上記第２の接続端子が、八木アンテナと接続する接続端子である構成としてある。
上記のように構成した請求項３において、アナログのテレビジョン放送を受信するときは、八木アンテナを用い、デジタルのテレビジョン放送を受信するときは、スマ−トアンテナを用いるというように、テレビジョン放送の種類に応じた最適なアンテナを、ユ−ザ−の意思で選択的に用いることが可能となる。
【００１２】
また、請求項４にかかる発明は、上記第２の接続端子が、ＣＡＴＶ放送を受信するためのケ−ブルを接続する接続端子である構成としてある。
上記のように構成した請求項４において、ＣＡＴＶ放送を受信するときは、第２の接続端子からの周波信号を有効にし、デジタルのテレビジョン放送を受信するときは、スマ−トアンテナからの周波信号を有効にするというように、所望するテレビジョン放送の選択を行うことが可能となる。
【００１３】
また、請求項５にかかる発明は、上記テレビジョン受信チュ−ナは、アナログのテレビジョン放送信号を受信するアナログモ−ド、および、デジタルのテレビジョン放送信号を受信するデジタルモ−ドのいずれか一方を所定の選択操作に基づいて選択可能であり、
上記命令信号送信手段は、上記アナログモ−ドが選択されたことを受けて、上記八木アンテナからの周波信号を受信するように上記切替手段に切替動作を行わせる一方、
上記デジタルモ−ドが選択されたことを受けて、上記スマ−トアンテナからの周波信号を受信するように上記切替手段に切替動作を行わせる構成としてある。
【００１４】
上記のように構成した請求項５において、アナログのテレビジョン放送を受信するときは、八木アンテナを用い、デジタルのテレビジョン放送を受信するときは、スマ−トアンテナを用いるというように、テレビジョン放送の種類に応じた最適なアンテナを、モ−ドの選択により切り替えることが可能となる。
【００１５】
さらに、請求項６にかかる発明は、その指向性を電気信号により静的に選択可能なスマ−トアンテナと接続するための第１の接続端子、および、テレビジョン放送信号を送信する外部装置と接続するため第２の接続端子と、
上記第１の接続端子に接続された上記スマ−トアンテナからの周波信号、および、上記第２の接続端子に接続された上記外部装置からの周波信号のいずれか一方を選択的に受信するための切替動作を行う切替手段とを具備することを特徴とするアンテナ切替装置請求項２または請求項３に記載のテレビジョン受信システムに適用されるアンテナ切替装置である。
【００１６】
上記のように構成した請求項６において、例えば、上記外部装置としての八木アンテナが既に設置されている状態で、新たにスマ−トアンテナを設置しようとする場合であっても、八木アンテナを設置したまま、その入力端子を第２の接続端子に接続し、スマ−トアンテナを新たに設置して、その入力端子を第１の接続端子に接続することにより、アンテナの設置が容易になるとともに、既存の八木アンテナをそのまま利用することが可能となる。
【００１７】
また、請求項７にかかる発明は、その指向性を電気信号により静的に選択可能なスマ−トアンテナを使用してテレビジョン放送信号を受信するテレビジョン受信チュ−ナにおいて、
上記スマ−トアンテナと接続するための第１の接続端子、および、テレビジョン放送信号を送信する外部装置と接続するための第２の接続端子と、上記第１の接続端子に接続された上記スマ−トアンテナからの周波信号、および、上記第２の接続端子に接続された上記外部装置からの周波信号のいずれか一方を選択的に受信するための切替動作を行う切替手段とを備えるアンテナ切替装置と接続され、
所定の選択操作に基づいて、上記切替手段に上記切替動作を行わせるための命令信号を送信する命令信号送信手段を具備する構成としてある。
【００１８】
上記のように構成した請求項７において、アナログのテレビジョン放送を受信するときは、上記外部装置としての八木アンテナを用い、デジタルのテレビジョン放送を受信するときは、スマ−トアンテナを用いるというように、テレビジョン放送の種類に応じた最適なアンテナを、ユ−ザ−の意思で選択的に用いることが可能となる。
【００１９】
さらに、請求項８にかかる発明は、その指向性を電気信号により静的に選択可能なスマ−トアンテナを使用してテレビジョン放送信号を受信するチュ−ナ機能を具備するテレビジョンにおいて、
上記スマ−トアンテナと接続するための第１の接続端子、および、テレビジョン放送信号を送信する外部装置と接続するための第２の接続端子と、上記第１の接続端子に接続された上記スマ−トアンテナからの周波信号、および、上記第２の接続端子に接続された上記外部装置からの周波信号のいずれか一方を選択的に受信するための切替動作を行う切替手段とを備えるアンテナ切替装置と接続され、
所定の選択操作に基づいて、上記切替手段に上記切替動作を行わせるための命令信号を送信する命令信号送信手段を具備する構成としてある。
【００２０】
上記のように構成した請求項８において、テレビジョン放送の種類に応じた最適なアンテナを選択可能なチュ−ナ機能を備えたテレビジョンとすることが可能となる。
【発明の効果】
【００２１】
本発明の請求項２および請求項３にかかる発明では、テレビジョン放送の種類に応じた最適なアンテナをユ−ザ−の意思で選択的に用いることが可能となる。
請求項４にかかる発明では、所望するテレビジョン放送の選択を行うことが可能となる。
請求項５かかる発明では、テレビジョン放送の種類に応じた最適なアンテナを、モ−ドの選択により切り替えることが可能となる。
請求項６にかかる発明では、アンテナの設置が容易になるとともに、既存の八木アンテナをそのまま利用することが可能となる。
請求項７にかかる発明では、テレビジョン放送の種類に応じた最適なアンテナを、ユ−ザ−の意思で選択的に用いることが可能となる。
請求項８にかかる発明では、テレビジョン放送の種類に応じた最適なアンテナを選択可能なチュ−ナ機能を備えたテレビジョンとすることが可能となる。
【発明を実施するための最良の形態】
【００２２】
図１は、本発明にかかるテレビジョン受信システムの概略構成を示している。同図において、テレビジョン３０が備えられており、同テレビジョン３０と図示しないケ−ブルで接続された略矩形箱状のテレビジョン受信チュ−ナ２０が備えられている。テレビジョン受信チュ−ナ２０はいわゆるセットトップボックスであり、テレビジョン３０と接続可能な限り任意の位置に設置することができる。
【００２３】
テレビジョン受信チュ−ナ２０には、ケ−ブル１６を介してアンテナ切替装置６０が接続されている。このアンテナ切替装置６０には、２本のアンテナケ−ブル１５を介してスマ−トアンテナユニット１０と八木アンテナ５０が接続されている。アンテナ切替装置６０は、後に詳述するが、スマ−トアンテナユニット１０からの周波信号、および、八木アンテナ５０からの周波信号のいずれかを切り替えてテレビジョン受信チュ−ナ２０に供給するためのものである。
【００２４】
スマ−トアンテナユニット１０は、底面に安定して設置するための脚部１７を有しており、脚部１７から略円柱状の柱部１８が略鉛直に立設している。同柱部１８の上端には、平面視略正方形の板状のアンテナ保持部１９が保持されている。アンテナ保持部１９は、略水平とされており、その側面からは４本の棒状指向性アンテナ１１が外側に向かって放射状に突出している。互いに隣接する指向性アンテナ１１同士がなす角度はそれぞれ９０度とされているため、指向性アンテナ１１はアンテナ保持部１９の側面の円周方向に均等に配設されていることとなる。また、指向性アンテナ１１は、それぞれ伸長可能であり使用者が適宜引き出して使用することが可能となっている。これらの指向性アンテナ１１の受信電波のうち、所定のものの位相を変化させることによりスマ−トアンテナユニット１０の指向性を全方位にわたって制御することが可能となっている。かかる構成により、地上波のテレビジョン放送電波がスマートアンテナユニット１０のいずれの方向から発信されたとしても、その方向にアンテナの指向性を調整することが可能となる。従って、より多くの放送局から発信されるテレビジョン放送電波を受信することができ、より多くのチャンネルを楽しむことが可能となる。
【００２５】
八木アンテナ５０は、底面に安定して設置するための台部５３を有しており、この台部５３から略円柱状の柱部５２が略鉛直に立設している。柱部５２の上端には、複数のアンテナ素子５１ａを具備するアンテナ部５１が保持されている。この八木アンテナ５０は、一方向（図１では、左上方向）に強力な指向性を有している。アナログのテレビジョン放送では、複数の放送局からのテレビジョン放送信号が、１つの送信点から送信されるため、上記送信点の方向に指向性を固定して八木アンテナ５０を設置しておくことにより、常に良好な状態でテレビジョン放送電波を受信することが可能となる。
【００２６】
図２は、スマ−トアンテナユニット１０および八木アンテナ５０の内部構成を概念的に示している。同図において、スマ−トアンテナユニット２０については、４本の指向性アンテナ１１がそれぞれ独立した配線により４つの位相器１２に接続されている。位相器１２は、指向性アンテナ１１から入力される信号の位相量を制御することができる回路であり、テレビジョン受信チュ−ナ２０から出力されるバイアス電圧に応じて位相を遅らせることが可能となっている。各位相器１２にて位相量が制御された信号は、合成器１４に入力され、同合成器１４にて合成される。合成器１４にて合成された信号は、ブ−スタ−回路１３に入力され、増幅される。
【００２７】
このように、４本の指向性アンテナ１１から入力された信号の位相を可変させつつ合成させることにより、４本の指向性アンテナ１１が、その軸方向のみならず任意の方向に指向性を持つことができる。すなわち、各位相器１２の位相量を適当な値に設定することにより、スマ−トアンテナユニット１０により形成される主ビ−ムの方向を任意の方向とすることかできる。また、八木アンテナ５０については、図１に示したアンテナ部５１がブ−スタ−回路５４に接続されており、アンテナ部５１からの信号は、ブ−スタ−回路５４に入力され、増幅される。
【００２８】
図３は、テレビジョン受信チュ−ナ２０およびアンテナ切替装置６０の内部構成を概念的に示している。同図において、テレビジョン受信チュ−ナ２０は、スマ−トアンテナユニット１０における位相器１２の位相量を制御するアンテナコントロ−ル部２１と、スマ−トアンテナユニット１０または八木アンテナ５０から周波信号を入力するチュ−ナ部２２とを備えている。テレビジョン受信チュ−ナ２０は、ＣＰＵ２８ａの命令に従ってスマ−トアンテナユニット１０におけるアンテナの指向性を制御するための信号を生成する。具体的には、各位相器１２に出力するバイアス電圧を可変させることにより、スマ−トアンテナ１０の受信方位を可変させている。テレビジョン受信チュ−ナ２０は、各位相器１２に出力するバイアス電圧の組み合わせを記憶させるための図示しないＲＯＭを備えている。このバイアス電圧の組み合わせは１６パタ−ン記憶されており、テレビジョン受信チュ−ナ２０は、ＣＰＵ２８ａの指令に従っていずれかのパタ−ンを各位相器１２に出力する。
【００２９】
すなわち、以上の構成によりスマ−トアンテナユニット１０は、１６通りの受信方位を実現することが可能となる。図４は、上記１６パタ−ンの受信方位を示している。同図において、アンテナ保持部１９を中心として放射状に均一な１６方位の受信方位を設定することが可能となっている。すなわち、隣接し合う受信方位の角度差は３６０／１６＝２２．５度で均一となっている。このように、アンテナ保持部１９を中心として均等に受信方位を設定することにより、いずれの方向から入射する放送電波にも指向性を追従させることが可能となる。なお、紙面上方の受信方位を受信方位パタ−ン「Ｄ」をＤ＝０とし、時計回りにパターンＤ＝１，Ｄ＝２，Ｄ＝３・・・Ｄ＝１５と識別するものと定義する。
【００３０】
図３に示すチュ−ナ部２２は、いわゆるシンセサイザ方式のチュ−ナの構成とされ、選局制御信号としてＰＬＬデータ、すなわち、ＰＬＬル−プにおける可変分周回路の分周比のデ−タがチュ−ナ部２２に与えられる。また、チュ−ナ部２２では、ＣＰＵ２８ａからの選局制御信号としてのＰＬＬデータを受けて、入力された周波信号から所望の周波数帯の周波信号を抽出することにより、複数の受信チャンネルのなかから一つの受信チャンネルを選択する。ＣＰＵ２８ａは、チュ−ナ部２２における周波数のずれを検出し、この検出結果に基づいてＡＦＴ電圧をチュ−ナ部２２に供給する。そして、チュ−ナ部２２がＡＦＴ電圧に応じて、抽出する周波数帯域を補正することにより、最適な選局が行われるようになっている。
【００３１】
チュ−ナ部２２の出力は、デジタル再生部２３とアナログ再生部２４のいずれかに供給される。すなわち、本実施形態にかかるテレビジョン受信チュ−ナ２０は、デジタル放送とアナログ放送の両方を再生することが可能となっている。デジタル再生部２３は、デジタルＩ／Ｆ２３ａと復調回路２３ｂとデスクランブル部２３ｃとデマルチプレックス部２３ｄとＭＰＥＧデコーダ２３ｇとから構成されている。チューナ部２２から周波信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。
【００３２】
すなわち、デジタルＩ／Ｆ２３ａと復調回路２３ｂは、チューナ部２２から入力される周波信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。なお、以上の処理において復調回路２３ｂは、全体のデータに対する上記ビット誤りの割合をビットエラーレートとして検出している。 
【００３３】
また、復調回路２３ｂにて復調およびエラー訂正処理を行うことにより得られたトランスポートストリームはデスクランブル部２３ｃに供給される。トランスポートストリームは、通常、スクランブルがかかっているため、このままでは適正に映像・音声を再生することはできない。そこで、デスクランブル部２３ｃがトランスポートストリームに対してデ・スクランブル処理を行うことにより、トランスポートストリームを再生可能なデータ配列に復元する。デ・スクランブル処理が行われたトランスポートストリームは、映像信号や音声信号や文字情報等が多重化された形式となっており、デマルチプレックス部２３ｄに供給される。デマルチプレックス部２３ｄでは入力されたデータに対してデ・マルチプレックス処理を行う。すなわち、ここで多重化が解除される。なお、デスクランブル部２３ｃとデマルチプレックス部２３ｄとはそれぞれの処理を行う際にワークエリアとしてＤＲＡＭ２３ｅを利用することが可能である。 
【００３４】
デ・マルチプレックス処理にて多重化が解除されると、映像信号および音声信号が所定の方式により圧縮されたＭＰＥＧデータと、例えば番組に関する文字情報といった映像信号や音声信号以外のデータに分離され、後者のデータはＣＰＵ２８ａに供給される。一方、前者のＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成され、同生成されたデジタル映像信号はさらにアナログの映像信号に変換される。 
【００３５】
ＭＰＥＧデコーダ２３ｇはＯＳＤ処理部２３ｈを備えており、映像に所定の静止画面を重ねて表示したり、所定の静止画像を差し替えて表示するなどの処理も行うことができるようにされている。ＯＳＤ処理部２３ｈは受信された文字情報等のデータをＣＰＵ２８ａから入力し、同文字情報等のデータに基づいて静止画像等を生成することが可能となっている。 
【００３６】
なお、ＭＰＥＧデコーダ２３ｇはＭＰＥＧデコード処理やＯＳＤ処理を行う際にワークエリアとしてＤＲＡＭ２３ｆを利用することが可能である。このように、ＭＰＥＧデコーダ２３ｇは圧縮解凍処理を実行可能であるとともに、ＯＳＤ処理部２３ｇにてグラフィックス処理を実行可能になっている。そして、圧縮解凍・アナログ変換された映像信号は映像出力部２６に供給され、同映像出力部２６にて同映像信号がテレビジョン３０に出力される。テレビジョン３０に対してアナログ映像信号を出力する方式としては、コンポジット出力やＳーＶｉｄｅｏ出力等の各種方式を採用することができる。 
【００３７】
一方、ＭＰＥＧデコード処理により生成された音声信号は、Ｄ／Ａ変換部２５に入力され、同Ｄ／Ａ変換部２５にてアナログ音声信号に変換される。このアナログ音声信号は音声出力部２７に入力され、同音声出力部２７からテレビジョン３０に出力される。ただし、テレビジョン３０がオプティカル入力端子等を備え、デジタル音声信号を受け付けることができれば、Ｄ／Ａ変換部２５を介することなくデジタル音声信号をそのままテレビジョン３０に出力させても良い。 
【００３８】
一方、アナログ再生部２４は、アナログＩ／Ｆ２４ａと復調回路２４ｂとＮＴＳＣデコーダ２４ｄと音声デコーダ２４ｅとから構成されている。アナログＩ／Ｆ２４ａと復調回路２４ｂは、チューナ部２２から入力される中間周波信号を増幅させるＡＧＣ回路２４ｂ１を備えている。ＡＧＣ回路２４ｂ１における中間周波信号の増幅率はＡＧＣ電圧により規定されており、同ＡＧＣ電圧は同ＡＧＣ回路２４ｂ１にて増幅された中間周波信号の振幅レベルに応じて変動する。すなわち、ＡＧＣ回路２４ｂ１はＡＧＣ電圧をフィードバック信号として中間周波信号を増幅させている。
【００３９】
具体的に、増幅された中間周波信号が強い場合には増幅率を低下させるべくＡＧＣ電圧を低下させ、増幅された中間周波信号が弱い場合には増幅率を増加させるべくＡＧＣ電圧を増加させる。すなわち、本実施形態においてＡＧＣ電圧が高いほどチューナ部２２から入力される中間周波信号が弱いと言える。これにより、増幅された中間周波信号の振幅レベルをほぼ一定とすることができるため、各チャンネル間で再現される色に違いがないようにすることができる。また、ＡＧＣ電圧は増幅された中間周波信号を所定の基準電圧と比較することにより生成されているため、増幅後の中間周波信号の振幅レベルは理想的な値を維持することができる。ＡＧＣ電圧はＣＰＵ２８ａに出力されており、同出力されたＡＧＣ電圧に基づいてＣＰＵ２８ａが各種制御を実行させる。 
【００４０】
復調回路２４ｂは復調した中間周波信号を分離することにより、ＮＴＳＣ形式のアナログ映像信号とアナログ音声信号とを生成する。同生成されたアナログ映像信号はＮＴＳＣデコーダ２４ｄに入力され、同ＮＴＳＣデコーダ２４ｄにてＣＣＩＲ６５６形式のデジタル映像信号に変換される。なお、ＮＴＳＣ形式はアナログテレビジョン信号の標準形式であり、色を再現するための信号と水平同期信号と垂直同期信号等が含まれる。復調回路２４ｂには水平同期信号と垂直同期信号とを抽出するための同期分離回路２４ｃが備えられており、同期分離回路２４ｃが抽出した水平同期信号と垂直同期信号に基づいて、ＮＴＳＣデコーダ２４ｄが同期の取れたデジタル映像信号を生成することが可能とされている。なお、ＣＣＩＲ６５６形式はＹＵＶの各要素がデジタル階調で表現されるデジタル映像信号の形式である。一方、復調回路２４ｂにて分離されたアナログ音声信号は音声デコーダ２４ｅに供給され、同音声デコーダ２４ｅにて左右独立したステレオ音声信号に分離される。 
【００４１】
ＮＴＳＣデコーダ２４ｄにて生成されたデジタル映像信号は、ＭＰＥＧデコーダ２３ｇに入力され、上述と同様にＯＳＤ処理やアナログ変換が行われる。そして、アナログ変換された映像信号は映像出力部２６に供給され、同映像出力部２６からテレビジョン３０に出力される。一方、音声信号が音声出力部２７に入力され、同音声出力部２７からテレビジョン３０に出力される。 
【００４２】
上述したＣＰＵ２８ａはバス２９に接続されており、バス２９に接続されたＲＡＭ２８ｂをワークエリアとしながら、当該テレビジョン受信チュ−ナ２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データを使用して制御処理を実行する。 
【００４３】
ＥＥＰＲＯＭ２８ｄに記憶されているデ−タとして、デジタル選局デ−タ２８ｄ１と、アナログ選局デ−タ２８ｄ２とが記憶されている。図５は、デジタル選局デ−タ２８ｄ１の一例を示している。デジタル選局デ−タ２８ｄ１は、リモコン４０等にて指定可能な受信チャンネルのチャンネル番号と、チュ−ナ部２２にて抽出を行う周波数帯域と、信号状態が良好な受信方位パタ−ン「Ｄ」とが対応付けられたテ−ブルである。リモコン４０等の操作によりデジタルモ−ドが選択されている場合には、このデジタル選局デ−タ２８ｄ１を用いることにより、選択されたチャンネル番号に対応したチュ−ナ部２２の周波数帯域と、スマ−トアンテナユニット１０の受信方位とを特定することが可能となっている。なお、本実施形態においてチューナ部２２はシンセサイザ方式を採用しているため、チャンネル番号と分周比のデータとの対応関係が選局データ２８ｄ１として記憶されている。また、信号状態が良好な受信方位パタ−ン「Ｄ」は、スマ−トアンテナユニット１０の各位相器１２に出力されるバイアス電圧の組み合わせのパタ−ンとして記憶されている。
【００４４】
図６は、アナログ選局デ−タ２８ｄ２の一例を示している。アナログ選局デ−タ２８ｄ２は、リモコン４０等にて指定可能な受信チャンネルのチャンネル番号と、チュ−ナ部２２にて抽出を行う周波数帯域とが対応付けられたテ−ブルである。なお、実施形態にかかるテレビジョン受信システムでは、アナログのテレビジョン放送を受信するときには、八木アンテナ５０が用いられるため、アナログ選局デ−タ２８ｄ２には、図５とは異なり、受信方位パタ−ン「Ｄ」が含まれていない。リモコン４０等の操作によりアナログモ−ドが選択されている場合には、このアナログ選局デ−タ２８ｄ２を用いることにより、選択されたチャンネル番号に対応したチュ−ナ部２２の周波数帯域を特定することが可能となっている。
【００４５】
また、ＥＥＰＲＯＭ２８ｄにはＯＳＤ処理部２３ｈにてＯＳＤ画像を生成するためのＯＳＤデータ２８ｄ２が記憶されている。ＣＰＵ２８ａはリモコン４０からの指令や各回路の動作状況等に応じて、適宜、ＯＳＤデータ２８ｄ２を読み出して、ＯＳＤ処理部２３ｈにＯＳＤデータ２８ｄ２を供給する。例えば、ＣＰＵ２８ａが使用者に対して警告が必要であると判断すると、警告画面が生成可能なＯＳＤデータ２８ｄ２を読み出して、ＯＳＤ処理部２３ｈに警告画面を映像に組み込むよう指令する。
【００４６】
バス２９にはリモコンＩ／Ｆ２８ｅが接続されており、外部機器としてのリモコン４０から出力される赤外線明滅信号を入力可能になっている。この赤外線明滅信号はバス２９を介してＣＰＵ２８ａに送出され、ＣＰＵ２８ａは対応する制御処理を実行する。
【００４７】
一方、アンテナ切替装置６０は、スマ−トアンテナユニット１０が接続される第１接続端子６１と、八木アンテナ５０が接続される第２接続端子６２とを備えており、更に、第１接続端子６１および第２接続端子６２と接続されたスイッチ回路６３を備えている。スイッチ回路６３は、第１接続端子６１と第２接続端子６２とのいずれか一方に切り替えることが可能である。スイッチ回路６３が第１接続端子６１に切り替えられている場合には、スマ−トアンテナ１０からの周波信号のみがチュ−ナ部２２に供給される一方、第２接続端子６２に切り替えられている場合には、八木アンテナ５０からの周波信号のみがチュ−ナ部２２に供給されるのである。ＣＰＵ２８ａは、デジタルモ−ドを選択する旨の指示が入力されたときには、第１接続端子に切り替える旨の命令信号をスイッチ回路６３に供給する一方、アナログモ−ドを選択する旨の指示が入力されたときには、第２接続端子に切り替える旨の命令信号をスイッチ回路６３に供給するのである。
【００４８】
次に、図１、図３に示したテレビジョン受信チュ−ナ２０において実行されるメイン処理の流れを、図７に示すフロ−チャ−トに基づいて説明する。まず、ステップＳ１００において、初期設定を行う。この処理において、ＣＰＵ２８ａ内のレジスタ、ＲＡＭ２８ｂのクリア、ＥＥＰＲＯＭ２８ｄからの白バランス調整用の設定デ−タの読み出し等の初期設定にかかる処理を行う。
【００４９】
次に、ステップＳ１１０において、映像信号制御処理を行う。この処理において、ＣＰＵ２８ａは、ＥＥＰＲＯＭ２８ｄに記憶されている現在のチャンネル番号、および、ＲＡＭ２８ｂに記憶されているモ−ド判別フラグに基づいてテレビジョン受信チュ−ナ２０を構成する各部、各回路を主導的に制御し、同チャンネル番号に対応するテレビ映像をテレビジョン３０に表示させる処理を実行する。なお、上記モ−ド判別フラグは、現在のモ−ドがデジタルモ−ドであるかアナログモ−ドであるかを判別するためのフラグである。具体的には、デジタルモ−ドである場合には、デジタルモ−ドであるか否かを判別するモ−ド判別フラグＤが「１」にセットされる一方、アナログモ−ドであるか否かを判別するモ−ド判別フラグＡが「０」にセットされる。逆に、アナログモ−ドである場合には、モ−ド判別フラグＤが「０」にセットされる一方、モ−ド判別フラグＡが「１」にセットされる。
【００５０】
ステップＳ１１０の処理を実行すると、次に、ステップＳ１２０において、モ−ドの変更指示があったか否かを特定する。この処理において、リモコン４０等の操作により、デジタルモ−ドかアナログモ−ドかのいずれかのモ−ドに変更する旨の指示の入力があったか否かを特定する。モ−ドの変更指示があった場合には、ステップＳ１３０においてアンテナ切替処理を実行する。この処理において、リモコン４０等からの指示に基づいてアンテナの切り替えを行う。具体的には、デジタルモ−ドに変更する旨の指示があった場合には、スイッチ回路６３に対して、第１接続端子６１に切り替える旨の命令信号を供給し、スマ−トアンテナ１０からの周波信号がチュ−ナ部２２に供給されるようにする。また、アナログモ−ドに変更する旨の指示の入力があった場合には、スイッチ回路６３に対して、第２接続端子６２に切り替える旨の命令信号を供給し、八木アンテナ５０からの周波信号がチュ−ナ部２２に供給されるようにする。
【００５１】
ステップＳ１３０の処理を実行するか、または、ステップＳ１２０においてモ−ドの変更指示がなかったと特定した場合、次に、ステップＳ１４０において、チャンネルの変更指示があったか否かを特定する。チャンネル変更指示があった場合には、ステップＳ１５０において、現在選択されているモ−ドがデジタルモ−ドであるか否かを特定する。すなわち、デジタル放送のチャンネル変更指示があったか否かを特定するのである。
【００５２】
ステップＳ１５０においてデジタルモ−ドが選択されていると特定した場合には、ステップＳ１７０において、受信チャンネルおよび受信方位を設定する処理を行う。具体的には、図５に示したデジタル選局デ−タ２８ｄ１を参照して、変更指示があったチャンネル番号に対応する周波数帯を特定して、チュ−ナ部が抽出する周波数帯の設定を行うとともに、スマ−トアンテナユニット１０の受信方位を設定する。例えば、デジタル放送のチャンネル番号「２」が選択された場合には、チュ−ナ部の周波数帯域を９０〜９６ＭＨｚに設定するとともに、スマ−トアンテナ１０の受信方位パタ−ンをＤ＝１に設定する（図５参照）。
【００５３】
一方、上述したステップＳ１５０においてデジタルモ−ドが選択されていないと特定した場合、すなわち、アナログモ−ドが選択されていると特定した場合には、ステップＳ１６０において、受信チャンネルを設定する処理を行う。具体的には、図５に示したアナログ選局デ−タ２８ｄ２を参照して、変更指示があったチャンネル番号に対応する周波数帯域を特定して、チュ−ナ部が抽出する周波数帯の設定を行う。アナログ放送のチャンネル番号「１」が選択された場合には、チュ−ナ部の周波数帯を２１０〜２１６ＭＨｚに設定する（図６参照）。
【００５４】
ステップＳ１６０若しくはステップＳ１７０の処理を実行するか、または、ステップＳ１４０においてチャンネル変更指示がなかったと特定した場合、次に、ステップＳ１８０において、テレビジョン受信チュ−ナ２０の電源をＯＦＦにする旨の指示の入力があったか否かを特定する。テレビジョン受信チュ−ナ２０の電源をＯＦＦにする旨の指示の入力がなかった場合には、処理をステップＳ１１０に戻し、指示の入力があった場合には、メイン処理を終了させる。
【００５５】
次に、図７に示したメイン処理が行われるとの具体例を説明する。まず最初に、初期設定にかかる処理が行われ（ステップＳ１００）、その後、現在の受信チャンネルに対応するテレビ映像がテレビジョン３０に表示される（ステップＳ１１０）。そして、モ−ドの変更指示があったか否かが特定され（ステップＳ１２０）、変更指示があった場合には、その指示に基づいて、スイッチ回路６３を第１接続端子または第２接続端子に切り替える処理を行う（ステップＳ１３０）。その後、チャンネル変更指示があったか否かが特定され（ステップＳ１４０）、チャンネル変更指示があった場合には、現在デジタルモ−ドが選択されているかアナログモ−ドが選択されているかが特定される（ステップＳ１５０）。デジタルモ−ドが選択されている場合には、図５に示したようなデジタル選局デ−タ２８ｄ１に基づいて、受信チャンネルと受信方位の設定が行われ（ステップＳ１７０）、一方、アナログモ−ドが選択されている場合には、図６に示したようなアナログ選局デ−タ２８ｄ２に基づいて、受信チャンネルの設定が行われる（ステップＳ１６０）。
【００５６】
上述した実施形態にかかるテレビジョン受信システムでは、アンテナ切替装置６０の第２接続端子６２に、八木アンテナが接続される場合について説明したが、本発明では、八木アンテナの代わりに、ＣＡＴＶにおける家庭内引き込み用の同軸ケ−ブルが接続されるようにアンテナ切替装置６０が構成されていてもよい。
【００５７】
また、上述した実施形態にかかるテレビジョン受信システムでは、セットトップボックスとしてのテレビジョン受信チュ−ナ２０がテレビジョン３０とは別体で設けられている場合について説明したが、チュ−ナ機能を備えたテレビジョンであってもよい。すなわち、アンテナ切替装置６０に対して第１接続端子または第２接続端子への切替動作を行わせるための命令信号を送信する命令信号送信手段を備えたチュ−ナが内蔵されたテレビジョンを具備するテレビジョン受信システムも本発明に該当する。
【００５８】
以上説明したように、実施形態にかかるテレビジョン受信システムによれば、第１接続端子６１にスマ−トアンテナユニット１０を接続するとともに、第２接続端子６２に八木アンテナ５０を接続し、リモコン４０等からの操作により２つの種類のアンテナの一方を有効とすることが可能なように構成することにより、アナログのテレビジョン放送を受信するときには、八木アンテナ５０を用い、デジタルのテレビジョン放送を受信するときには、スマ−トアンテナユニット１０を用いるというように、テレビジョン放送の種類に応じた最適なアンテナを、ユ−ザ−の意思で選択して用いることが可能となる。
【図面の簡単な説明】
【００５９】
【図１】テレビジョン受信システムの構成を示すブロック図である。
【図２】スマ−トアンテナユニットおよび八木アンテナの内部構成を示すブロック図である。
【図３】テレビジョン受信チュ−ナおよびアンテナ切替装置の内部構成を示すブロック図である。
【図４】スマ−トアンテナユニットの指向性を示す概念図である。
【図５】デジタル選局デ−タの一例を示す図である。
【図６】アナログ選局デ−タの一例を示す図である。
【図７】メイン処理を示すフロ−チャ−トである。
【符号の説明】
【００６０】
１０…スマ−トアンテナユニット
１１…指向性アンテナ
１２…位相器
１３…ブ−スタ−回路
１４…合成器
２０…テレビジョン受信チュ−ナ
２１…アンテナコントロ−ル部
２２…チュ−ナ部
２３…デジタル再生部
２３ａ…デジタルＩ／Ｆ
２４…アナログ再生部
２４ａ…アナログＩ／Ｆ
２４ｂ…復調回路
２４ｂ１…ＡＧＣ回路
２８ａ…ＣＰＵ
２８ｂ…ＲＡＭ
２８ｄ…ＥＥＰＲＯＭ
２８ｄ１…デジタル選局デ−タ
２８ｄ２…アナログ選局デ−タ
３０…テレビジョン
４０…リモコン
５０…八木アンテナ
５１…アンテナ部
６０…アンテナ切替装置
６１…第１接続端子
６２…第２接続端子
６３…スイッチ回路
【図１】
2006060676.tif 000003
【図２】
2006060676.tif 000004
【図３】
2006060676.tif 000005
【図４】
2006060676.tif 000006
【図５】
2006060676.tif 000007
【図６】
2006060676.tif 000008
【図７】
2006060676.tif 000009